(57)【要約】【課題】素早く異なる撮影設定での撮影が行える撮像装置を提供する。【解決手段】撮影動作の指令を入力するための第１のシャッターボタン（２１４）と、前記第１のシャッターボタンと異なる位置に配置された、撮影動作の指令を入力するための第２のシャッターボタン（２１３）と、前記第１のシャッターボタンから撮影動作の指令が入力されると、第１の撮影設定に基づいて撮影を行うように制御し（Ｓ５１５）、前記第２のシャッターボタンから撮影動作の指令が入力されると、前記第１の撮影設定とは異なる第２の撮影設定に基づいて撮影を行うように制御する（Ｓ５１２）撮影制御手段(１０２)とを有することを特徴とする。【選択図】図５
2011223157.tif 000002
【特許請求の範囲】
【請求項１】
撮影動作の指令を入力するための第１のシャッターボタンと、
前記第１のシャッターボタンと異なる位置に配置された、撮影動作の指令を入力するための第２のシャッターボタンと、
前記第１のシャッターボタンから撮影動作の指令が入力されると、第１の撮影設定に基づいて撮影を行うように制御し、前記第２のシャッターボタンから撮影動作の指令が入力されると、前記第１の撮影設定とは異なる第２の撮影設定に基づいて撮影を行うように制御する撮影制御手段と、
を有することを特徴とする撮像装置。
【請求項２】
前記第１の撮影設定と前記第２の撮影設定のうち少なくとも一方をユーザの操作に応じて設定する設定手段をさらに有することを特徴とする請求項１に記載の撮像装置。
【請求項３】
前記第１の撮影設定は、撮像素子の範囲全体を使った第１の撮影方法で撮影を行う設定であり、前記第２の撮影設定は、前記撮像素子の一部の範囲を使って撮影する第２の撮影方法で撮影を行う設定であることを特徴とする請求項１に記載の撮像装置。
【請求項４】
前記撮像装置の姿勢を検知する姿勢検知手段をさらに有し、
前記撮影制御手段は、前記姿勢検知手段で前記撮像装置が縦位置の姿勢であることを検知している場合に前記第１のシャッターボタンから撮影動作の指令が入力されると、前記第１の撮影設定に基づいて撮影を行うように制御し、前記姿勢検知手段で前記撮像装置が縦位置の姿勢であることを検知している場合に前記第２のシャッターボタンから撮影動作の指令が入力されると前記第２の撮影設定に基づいて撮影を行うように制御し、前記姿勢検知手段で前記撮像装置が縦位置の姿勢でないことを検知している場合には、前記第１のシャッターボタンと前記第２のシャッターボタンのいずれから撮影動作の指令が入力されても前記第１の撮影設定に基づいて撮影を行うように制御することを特徴とする請求項３に記載の撮像装置。
【請求項５】
前記撮影動作の指令は、動画撮影中に静止画を撮影する指令であることを特徴とする請求項３または４に記載の撮像装置。
【請求項６】
撮影動作の指令を入力するための第１のシャッターボタンと、前記第１のシャッターボタンと異なる位置に配置された、撮影動作の指令を入力するための第２のシャッターボタンとを有する撮像装置の制御方法であって、
前記第１のシャッターボタンから撮影動作の指令が入力されると、第１の撮影設定に基づいて撮影を行うように制御し、前記第２のシャッターボタンから撮影動作の指令が入力されると、前記第１の撮影設定とは異なる第２の撮影設定に基づいて撮影を行うように制御する撮影制御ステップと
を有することを特徴とする撮像装置の制御方法。
【請求項７】
コンピュータを、請求項１乃至５のいずれか１項に記載された撮像装置の各手段として機能させるプログラム。
【請求項８】
コンピュータを、請求項１乃至５のいずれか１項に記載された撮像装置の各手段として機能させるプログラムを格納した記憶媒体。
【発明の詳細な説明】
【技術分野】
【０００１】
本発明は、ＣＣＤやＣＭＯＳセンサ等の撮像素子を用いたデジタル撮像装置における、デジタル処理のパラメータ設定を簡単に切り替える技術に関する。
【背景技術】
【０００２】
デジタルカメラにおいては、ＩＳＯ設定や連写モードなどの撮影設定をメニュー画面を用いて設定し、撮影動作に入る。そのため、撮影設定を切り替えるとき撮影動作に入るまでに一定の時間がかかるという問題があった。
【０００３】
そこで、従来のデジタルカメラでは、複数回の設定操作を必要とする機能を所定の操作部材に割り当て、その操作部材により機能の実行を直接指示可能としたものが提案されている（特許文献１参照）。
【０００４】
また、従来の撮像装置では、右利きの撮影者でも左利きの撮影者でもレリーズボタンを押下しやすいように、２つのレリーズボタン（シャッターボタン）を備えたものも提案されている（特許文献２参照）。
【先行技術文献】
【特許文献】
【０００５】
【特許文献１】特開２００５−２２３６１６号公報
【特許文献２】特開２００７−１３３１４８号公報
【発明の概要】
【発明が解決しようとする課題】
【０００６】
しかしながら、特許文献１のデジタルカメラでは、複数回の設定操作が簡略化されても、撮影中に咄嗟に撮影設定の変更を行うためには撮影を中断し、設定作業に入らなければならない。また、特許文献２のように２つのレリーズボタンを備える撮像装置では、２つのレリーズボタンのうちいずれを押下しても同様の撮影設定にて撮影が行われるので、撮影設定の変更を行うために設定作業が不可欠である。
【０００７】
本発明は上記課題に鑑み、撮影設定の変更を行うための設定作業に煩わされることなく、素早く異なる撮影設定での撮影が行える撮像装置を提供することを目的とする。
【課題を解決するための手段】
【０００８】
上記目的を達成するために、本発明に係わる撮像装置は、撮影動作の指令を入力するための第１のシャッターボタンと、前記第１のシャッターボタンと異なる位置に配置された、撮影動作の指令を入力するための第２のシャッターボタンと、前記第１のシャッターボタンから撮影動作の指令が入力されると、第１の撮影設定に基づいて撮影を行うように制御し、前記第２のシャッターボタンから撮影動作の指令が入力されると、前記第１の撮影設定とは異なる第２の撮影設定に基づいて撮影を行うように制御する撮影制御手段とを有することを特徴とする。
【発明の効果】
【０００９】
本発明によれば、撮影設定の変更を行うための設定作業に煩わされることなく、素早く異なる撮影設定での撮影が行えるという効果がある。
【図面の簡単な説明】
【００１０】
【図１】本発明の撮像装置に係わる第１実施の形態に係るデジタル一眼レフカメラの回路構成を示すブロック図である。
【図２】本第１実施の形態に係るデジタル一眼レフカメラの外観構造を示す斜視図である。
【図３】本第１実施の形態に係るデジタル一眼レフカメラで撮影設定を行うときの設定画面を示す説明図である。
【図４】本第１実施の形態に係るデジタル一眼レフカメラで撮影設定を行うときの他の設定画面を示す説明図である。
【図５】本第１実施の形態に係るデジタル一眼レフカメラにおける静止画撮影処理の手順を示すフローチャートである。
【図６】本第２実施の形態に係るデジタル一眼レフカメラにおける動画撮影中の静止画撮影処理の手順を示すフローチャートである。
【図７】本発明の第２実施の形態に係るデジタル一眼レフカメラにおける撮像素子の一部を使った撮影状態と全体を使った撮影状態とを例示する説明図である。
【発明を実施するための形態】
【００１１】
以下、本発明の実施の形態に係わるデジタル一眼レフカメラについて、添付図面を参照して説明する。
【００１２】
（第１実施の形態）
本発明に係わる第１実施の形態に係るレンズ交換式一眼レフデジタルカメラの回路構成について、図１のブロック図を参照して説明する。
【００１３】
図１で、１０２は、マイクロコンピュータ（撮影制御手段）であり、撮像素子（本実施の形態ではＣＣＤ）１１８が出力する画像データの処理や、ＬＣＤモニタ装置１１７の表示制御をはじめ、カメラ全体の動作の制御を司る。
【００１４】
このマイクロコンピュータ１０２には、第１のレリーズボタン２１４として構成された一対のスイッチ（ＳＷ１）１０３及びスイッチ（ＳＷ２）１０４が接続されている。このレリーズボタン２１４は、撮影動作の指令を入力するための第１のシャッターボタンとなる。
【００１５】
このスイッチ（ＳＷ１）１０３は、第１のレリーズボタン２１４（図２参照）の半押し状態でオンになり、スイッチ（ＳＷ１）１０３がオンすると本実施形態のデジタルカメラは撮影準備状態になる。スイッチ（ＳＷ２）１０４は、レリーズボタン２１４が最後まで押された状態（全押し状態）でオンし、スイッチ（ＳＷ２）１０４がオンすると本実施の形態のデジタルカメラは撮影動作を開始する。
【００１６】
また、このマイクロコンピュータ１０２には、第２のレリーズボタン２１３として構成された一対のスイッチ（ＳＷ１）１０５及びスイッチ（ＳＷ２）１０６が接続されている。この第２のレリーズボタン２１３は、レリーズボタン２１４と異なる位置に配置された、撮影動作の指令を入力するための第２のシャッターボタンとなる。
【００１７】
このスイッチ（ＳＷ１）１０５は、縦位置グリップ側に装着されたスイッチであって、第２のレリーズボタン２１３（図２参照）の半押し状態でオンとなる。このスイッチ（ＳＷ１）１０５は、オンされると本実施の形態のデジタルカメラが撮影準備状態とされる。また、スイッチ（ＳＷ２）１０６は、レリーズボタン２１３が最後まで押された状態（全押し状態）でオンし、スイッチ（ＳＷ２）１０６がオンすると本実施の形態のデジタルカメラの撮影動作が開始される。
【００１８】
図１のブロック図で、１０７は、マイクロコンピュータ（撮影制御手段）１０２に接続されたレンズ制御回路１０７であり、不図示の撮影レンズとの通信およびＡＦ（オートフォーカス）時の駆動制御や絞り羽根の駆動制御を行う。
【００１９】
またマイクロコンピュータ１０２に接続された外部表示制御回路１０８は、外部表示装置（ＯＬＣ）１０９や、ファインダ内の表示装置（不図示）の制御を行う。さらに、スイッチセンス回路１１０は、カメラに設けられた電子ダイヤル１１１を含む多数のスイッチ類の信号をマイクロコンピュータ１０２に伝える。
【００２０】
マイクロコンピュータ１０２に接続された、ストロボ発光調光制御回路１１２は、Ｘ接点１１２ａを介して接地されており、外部ストロボの制御を行う。測距回路１１３は、ＡＦのための被写体に対するデフォーカス量を検出する。測光回路１１４は、被写体の輝度を測定する。
【００２１】
このマイクロコンピュータ１０２に接続されたシャッター制御回路１１５は、撮像素子に対して適正に露光するためのシャッターの制御を行う。
【００２２】
このマイクロコンピュータ１０２に接続された画像表示装置は、ＬＣＤモニタ装置１１７及びバックライト照明装置１１６によって構成されている。
【００２３】
このマイクロコンピュータ１０２に接続された記録装置１１９は、例えばカメラ本体に着脱可能なハードディスクドライブ、半導体メモリカード等で構成されている。
【００２４】
また、マイクロコンピュータ１０２には、画像処理回路１２５、カメラの姿勢方向を検知する姿勢検知回路１２６及び撮影の制御パラメータを記憶している撮影制御メモリ１２７が接続されている。この画像処理回路１２５は、Ａ／Ｄコンバータ１２３、画像バッファメモリ１２４、ＤＳＰ等からなる。
【００２５】
また、このマイクロコンピュータ１０２は、不揮発性のメモリ１２８が記憶しているプログラム等を実行する。
【００２６】
次に、本実施の形態に係わるデジタル一眼レフカメラの外観構造について、図２の斜視図により説明する。
【００２７】
この図２で、１は、カメラであり、そのレンズマウント部２１１に、不図示の撮影レンズが着脱可能に締結される。
【００２８】
このカメラ本体１の前面部には、カメラボディの前カバー２１２が設置されている。この前カバー２１２の縦位置グリップ部２１２ｂには、ユーザがカメラ本体１を縦位置に構えるようにホールドした状態でシャッタレリーズ動作を行うための縦位置レリーズボタン２１３が配置されている。
【００２９】
また、このカメラ本体１には、ユーザがカメラ本体１を正位置に構え、前カバー２１２の正位置グリップ部２１２ａをホールドした状態でシャッタレリーズ動作を行うための正位置レリーズボタン２１４が配置されている。
【００３０】
（撮影設定の設定方法）
次に、本実施の形態に係わるデジタル一眼レフカメラにおいて、正位置グリップ側のレリーズボタン２１４と、縦位置グリップ側のレリーズボタン２１３とに対する撮影設定の設定方法について説明する。
【００３１】
デジタル一眼レフカメラで、正位置グリップ側のレリーズボタン２１４の押下によって撮影を行う場合には、その際のカメラの動作状態に応じた撮影設定（以下、通常の撮影設定と称する）での撮影を行うものとする。
【００３２】
例えば、このデジタル一眼レフカメラをオート撮影モードで動作させた場合には、レリーズボタン２１４が押下されたときに、撮影設定の各種設定項目についてカメラの制御部が適正と判定した設定値で撮影が行われる。
【００３３】
また、マニュアル撮影モードで動作させた場合には、レリーズボタン２１４が押下されたときに、撮影設定の各種設定項目についてユーザによって設定された設定値での撮影が行われる。
【００３４】
一方、デジタル一眼レフカメラで、縦位置グリップ側のレリーズボタン２１３の押下によって撮影を行う場合には、予めカスタム設定として設定された撮影設定での撮影を行う。
【００３５】
このカスタム設定は、正位置側のレリーズボタン２１４の押下で行う撮影と異なる撮影設定での撮影を行うためのものである。このカスタム設定は、縦位置グリップ側のレリーズボタン２１３での撮影用に、正位置グリップ側のレリーズボタン２１４の押下で行う撮影の撮影設定とは別途に設定される。
【００３６】
これと共に、このカスタム設定は、マニュアル撮影モード等において正位置グリップ側のレリーズボタン２１４の押下で行われる撮影用にユーザによって設定される撮影設定と別途に設定される。
【００３７】
このデジタル一眼レフカメラでは、ユーザが、電子ダイアル１１１やその他の操作部材（入力手段）によって図３及び図４に示すカスタム設定を設定するメニュー画面を用いてカスタム設定の作業を行う。このカスタム設定では、例えば、ユーザが各種操作部材を利用してＩＳＯ設定と画角設定を登録可能に構成されている。なお、このデジタル一眼レフカメラでは、その他に、ストロボ発光設定など、他の複数の静止画撮影動作に関する撮影設定を登録可能に構成しても良い。
【００３８】
次に、ユーザが、入力手段を利用して予め撮影動作に関する撮影設定の設定項目について設定値を登録する場合について説明する。
【００３９】
このデジタル一眼レフカメラでは、ユーザが入力手段を利用して、正位置グリップ側のレリーズボタン２１４に対して、撮影のための各種項目を設定する第１の撮影設定を行えるように構成されている。これと共に、このデジタル一眼レフカメラでは、ユーザが入力手段を利用して、縦位置グリップ側のレリーズボタン２１３に対して、撮影のための各種項目を設定する第２の撮影設定を行えるように構成されている。なお、第１の撮影設定と第２の撮影設定のうち一方だけをユーザが設定できるように構成してもよい。
【００４０】
この場合には、まず、ユーザは、図３に示す設定項目のように、大項目としてＩＳＯ設定を選択する。次に、ユーザは、撮影設定のためのＧＵＩ画面を遷移させるよう操作し、図４に示すようにＩＳＯ設定に関して具体的な値を選択し又は設定をしないかを選択する。なお、図４に示す設定項目の例では、ＩＳＯ４００を選択している。
【００４１】
このカスタム設定の設定内容は、撮影制御メモリ１２７に登録される。なお、このデジタル一眼レフカメラでは、ユーザによってカスタム設定がなされる前の状態が、工場出荷時の初期設定として所定の撮影設定がカスタム設定として登録されているものとしても良い。または、全ての設定項目について「設定をしない」に初期設定されているものとしても良い。
【００４２】
（静止画撮影動作）
次に、本実施の形態に係るデジタル一眼レフカメラで、静止画を撮影する際の静止画撮影処理における手順について図５のフローチャートにより説明する。この静止画撮影処理は、マイクロコンピュータ（撮影制御手段）１０２がメモリ１２８に記録された静止画撮影プログラムを実行することにより実施される。
【００４３】
このデジタル一眼レフカメラでは、静止画撮影が可能な状態とされると、マイクロコンピュータ１０２が、縦位置グリップ側のレリーズボタン２１３が押されたか否かを判定する（ステップＳ５１０）。レリーズボタン２１３が押されていなかった場合（ステップＳ５１０でＮＯ）には、ステップＳ５１４に進む。
【００４４】
また、レリーズボタン２１３が押されていた場合（ステップＳ５１０でＹＥＳ）には、マイクロコンピュータ１０２が撮影制御メモリ４２７を読み取る。
【００４５】
次に、マイクロコンピュータ１０２は、いずれかの設定項目について縦位置グリップ側のレリーズボタン２１３でのカスタム撮影設定が設定されているか（登録されているか）否かを判断する（ステップＳ５１１）。
【００４６】
次に、マイクロコンピュータ１０２は、レリーズボタン２１３が押されていなかったと判定した場合には、ステップＳ５１４に進む。
【００４７】
またマイクロコンピュータ１０２は、レリーズボタン２１３が押されていたと判定した場合には、撮影制御メモリ１２７を読み取る。そして、マイクロコンピュータ１０２は、縦位置グリップ側のレリーズボタン２１３に対して何れかの設定項目についてのカスタム撮影設定が設定されているか（登録されているか）否かを判断する（ステップＳ５１１）。
【００４８】
マイクロコンピュータ１０２は、いずれの設定項目についてもカスタム撮影設定が設定されていないと判定した場合にステップＳ５１３に進む。
【００４９】
また、マイクロコンピュータ１０２は、カスタム撮影設定が設定されていると判定した場合（ステップＳ５１１でＹＥＳ）に、ステップＳ５１２へ進む。
【００５０】
そして、マイクロコンピュータ１０２は、カスタム設定で設定された撮影設定条件で静止画撮影を実行（ステップＳ５１２）した後、静止画撮影動作処理を終了する。
【００５１】
また、マイクロコンピュータ１０２は、ステップＳ５１０にて縦位置グリップ側のレリーズボタン２１３が押されていなかったと判定した場合（ステップＳ５１０でＮＯ）に、ステップＳ５１４へ進む。
【００５２】
そして、マイクロコンピュータ１０２は、正位置グリップ側のレリーズボタン２１４が押されたか否かを判定し、押されていなかったと判定した場合（ステップＳ５１４でＮＯ）にステップＳ５１０に戻る。
【００５３】
また、マイクロコンピュータ１０２は、レリーズボタン２１４が押されていると判定した場合（ステップＳ５１４でＹＥＳ）に、通常の撮影設定に基づいた静止画撮影を実行し（ステップＳ５１５）、静止画撮影動作処理を終了する。
【００５４】
以上説明したように、このデジタル一眼レフカメラでは、マイクロコンピュータ（撮影制御手段）１０２が、レリーズボタン２１４から撮影動作の指令が入力されたときに、第１の撮影設定の条件に基づいて撮影を行うように制御する。
【００５５】
また、マイクロコンピュータ１０２が縦位置グリップ側のレリーズボタン２１３から撮影動作の指令が入力されたときに、第２の撮影設定の条件に基づいて撮影を行うように制御する。
【００５６】
よって、このデジタル一眼レフカメラでは、レリーズボタンを押し分けるだけで、静止画撮影の撮影設定の条件を切り替えることができるので、素早く異なる撮影設定での撮影が行えるという効果がある。
【００５７】
（第２実施の形態）
以下、本発明の撮像装置の第２実施の形態に係わるデジタル一眼レフカメラについて、添付図面を参照して説明する。なお、本第２実施の形態の説明では、前述した第１実施の形態と異なる部分を重点的に説明する。
【００５８】
（動画撮影中の静止画撮影）
前述した第１実施の形態では、単純な静止画撮影動作において二つのレリーズボタンの動作を切り替える例を示した。本第２実施の形態では、二つのレリーズボタンの動作を切り替える前にカメラの状態を判断し、二つのレリーズボタンの動作の切り替えの有効又は無効を選択的に制御する。
【００５９】
本第２実施の形態に係わるデジタル一眼レフカメラでは、例えば、動画撮影中の静止画撮影の際に、二つのレリーズボタンによる動作切り替えの有効又は無効を選択的に制御する。
【００６０】
（動画撮影の画角）
デジタル一眼レフカメラで動画撮影を行う場合に必要とする画素数は、静止画撮影で必要とする画素数よりも少ない場合が多い。このため、動画撮影では、ＣＣＤ又はＣＭＯＳ等の撮像素子の有効画素の一部だけを使うことになる。
【００６１】
このことから、動画撮影では、カメラを縦位置に構えている場合でも、正常の姿勢で構えている場合の画角で動画を撮影することができる。
【００６２】
次に、撮像素子の一部を使った撮影モードと全体を使った撮影モードについて、図７を参照して説明する。
【００６３】
一般的にデジタルカメラの撮像素子は、長方形であることが多く、正位置に構えた際に撮像素子が横長となるように構成されている。このように構成されたカメラを縦位置に構えると、図７（ａ）に示すように、被写体の上下方向に対して、撮像素子全体の範囲７０１は、縦長の向きとなる。
【００６４】
このようにカメラを構えた状態において、正常の姿勢で構えている場合と同様の画角（すなわち横長の画角）で動画を撮影する場合には、図７（ａ）に点線で示した範囲７０２の範囲を用いて撮影を行う。すなわち、このカメラを縦位置に構えた場合には、撮像素子の全範囲７０１のうちの一部に当たる、所定の小範囲７０２を用いて、図７（ｂ）に示すような画像を撮影する。よって、このデジタル一眼レフカメラでは、撮像素子の一部の範囲を使った撮影モード（第２の画像生成手段）で撮影できるように構成されている。
【００６５】
また、このデジタル一眼レフカメラでは、撮像素子の範囲全体を使った撮影モード（第１の画像生成手段）で撮影できるように構成されている。この撮像素子の範囲全体を使った撮影モードでは、図７（ｃ）に示すように、カメラを縦位置に構えて、撮像素子の全範囲７０１を用いて画像を撮影することができる。
【００６６】
なお、この撮像素子の全範囲７０１又は一部の範囲７０２を用いて撮影する場合に、撮像素子のうち撮影に用いる範囲の全画素を用いず、記録可能な画素数に応じて、撮像素子の撮影に用いる範囲から均等に間引いた画素を使用して撮影する。
【００６７】
これとは逆に、撮像素子の全範囲７０１又は一部の範囲７０２を用いて撮影する場合に、撮影に用いる範囲の全画素を用いて撮影を行ったあと、画像処理によって、記録可能な画素数に調整しても良い。
【００６８】
このデジタル一眼レフカメラでは、縦位置でカメラを構えていながら正位置のときと同じ画角（図７（ｂ）に例示する画角）で動画を撮影するとき、撮影している動画と同じ画角での静止画撮影ができるように構成されている。これと共に、このデジタル一眼レフカメラでは、撮像素子の全範囲を用いた静止画撮影（図７（ｃ）に例示する画角）ができるように構成されている。
【００６９】
つまり、カメラを縦位置に構えながらの動画撮影中は、縦画角（図７（ｃ）に例示する画角）と、撮影中の動画と同じ画角である通常画角（図７（ｂ）に例示する画角）の二通りの静止画撮影が可能に構成されている。
【００７０】
本第２実施の形態に係わるデジタル一眼レフカメラでは、前述した２通りの画角を、縦位置グリップ側のレリーズボタン２１３が押下されたか、正位置グリップ側のレリーズボタン２１４が押下されたかによって使い分ける。
【００７１】
このように構成した場合には、メニュー画面を開いてどちらの画角で静止画撮影するか、といった指定をする面倒な手間を省略して、画角を簡単かつ迅速に切り替えて使い分けることができるという効果がある。
【００７２】
（動画撮影中の静止画撮影処理）
次に、本第２実施の形態に係わるデジタル一眼レフカメラにおける動画撮影中の静止画撮影処理を図６に示すフローチャートを参照して説明する。
【００７３】
本第２実施の形態に係わるデジタル一眼レフカメラでは、動画撮影中の静止画撮影時の処理を、マイクロコンピュータ１０２がメモリ１２８に記録された動画撮影中の静止画撮影プログラムを実行することにより実施する。
【００７４】
このデジタル一眼レフカメラでは、動画撮影中に静止画撮影を行う時に動画撮影中の静止画撮影時の処理が開始する。この動画撮影中の静止画撮影時の処理が開始されると、マイクロコンピュータ１０２は、動画撮影が縦位置撮影で行われているかを姿勢検知回路１２６で判定する（ステップＳ６２１）。
【００７５】
マイクロコンピュータ１０２が、縦位置撮影が行われていないと判定した場合（ステップＳ６２１でＮＯ）には、ステップＳ６２６に進む。
【００７６】
また、縦位置撮影がされていた場合（ステップＳ６２１でＹＥＳ）に、マイクロコンピュータ１０２は、縦位置グリップ側のレリーズボタン２１３が押下されたか否か判定する（ステップＳ６２２）。
【００７７】
そして、マイクロコンピュータ１０２は、縦位置グリップ側のレリーズボタン２１３が押下されていなかったと判定した場合（ステップＳ６２２でＮＯ）に、ステップＳ６２４に進む。
【００７８】
また、マイクロコンピュータ１０２は、縦位置グリップ側のレリーズボタン２１３が押下されていたと判定した場合（ステップＳ６２２でＹＥＳ）に、通常画角で静止画撮影を行う（ステップＳ６２３）。その後、マイクロコンピュータ１０２は、動画撮影中の静止画撮影動作を終了させる。
【００７９】
また、前述したステップＳ６２２でマイクロコンピュータ１０２は、ユーザが正位置グリップ側のレリーズボタン２１４を押していなかったと判定した場合に、ステップＳ６２４へ進む。このステップＳ６２４でマイクロコンピュータ１０２は、ユーザが正位置グリップ側のレリーズボタン２１４を押したか否かを判定する。
【００８０】
そして、マイクロコンピュータ１０２は、正位置グリップ側のレリーズボタン２１４が押されていなかったと判定した場合（ステップＳ６２４でＮＯ）に、ステップＳ６２１に戻る。
【００８１】
また、マイクロコンピュータ１０２は、正位置グリップ側のレリーズボタン２１４が押されていたと判定した場合に、縦画角で静止画撮影を行い、（ステップＳ６２５）動画撮影中の静止画撮影動作を終了する。
【００８２】
ステップＳ６２１にて動画撮影が縦位置撮影で行われていなかった場合に、マイクロコンピュータ１０２は、ユーザが縦位置グリップ側のレリーズボタン２１３を押したかを判定する（ステップＳ６２６）。
【００８３】
また、マイクロコンピュータ１０２は、ステップＳ６２６で縦位置グリップ側のレリーズボタン２１３が押されていたと判定した場合に通常画角で静止画撮影を行い（ステップＳ６２７）、動画撮影中の静止画撮影動作を終了させる。
【００８４】
マイクロコンピュータ１０２は、ステップＳ６２６にて縦位置グリップ側のレリーズボタンが押されていなかったと判定した場合に、ユーザが正位置グリップ側のレリーズボタン２１４を押したかを判定する（ステップＳ６２８）。
【００８５】
マイクロコンピュータ１０２は、ステップＳ６２８で正位置グリップ側のレリーズボタン２１４が押されていなかったと判定した場合に、ステップＳ６２１に戻る。また、マイクロコンピュータ１０２は、ステップＳ６２８で正位置グリップ側のレリーズボタン２１４が押されていたと判定した場合に、通常画角で静止画撮影を行い（ステップＳ６２７）、動画撮影中の静止画撮影動作を終了させる。
【００８６】
このように、本実施の形態に係わるデジタル一眼レフカメラでは、レリーズボタンを使い分けるだけで縦位置に構えた状態での動画撮影中の静止画撮影の画角を切り替えることができる。
【００８７】
また、マイクロコンピュータ１０２は、ステップＳ６２１で縦位置撮影でなく正位置での撮影であると判定した場合に、その後の処理をレリーズボタン２１３、２１４のいずれが押下された場合でも通常画角で撮影するよう制御する。
【００８８】
すなわち、ユーザは、このデジタル一眼レフカメラを正位置に構えた状態でレリーズボタンを使い分けることにより、マイクロコンピュータ１０２が静止画撮影の画角を切り替える制御を無効にさせることができる。
【００８９】
なお、上述した本第２実施の形態に係わるデジタル一眼レフカメラでは、押下されたレリーズボタンによって撮影中の動画にあわせた通常画角と縦画角とを使い分けるものである。本第２実施の形態に係わるデジタル一眼レフカメラでは、撮影中の動画に合わせた画角とするか、構えている縦位置で通常撮影される画角とするかを操作するシャッターボタンに応じて切り替えられる（使い分けられる）。このため、本第２実施の形態に係わるデジタル一眼レフカメラでは、切り替え頻度が高いと考えられる有効な２つの画角の切り替えを可能としている。
【００９０】
ただし本発明は、上述した実施の形態に限るものではなく、押下されたレリーズボタンによって異なる画角で撮影ができるのであれば他の画角の切り替え方法を利用したものであっても良い。
【００９１】
以上説明したように、本発明は、１回の撮影の後に異なる撮影設定での撮影を行いたい場合、そのタイミングで撮影設定を変更する操作を行う必要がなく、単に異なるレリーズボタンを選択して押下すればよい。従って、本発明の撮像装置によれば、異なる撮影設定での撮影を短い間に連続して行いたい場合等に特に有効である。
【００９２】
なお、マイクロコンピュータ１０２の制御は１つのハードウェアが行ってもよいし、複数のハードウェアが処理を分担することで、装置全体の制御を行ってもよい。
【００９３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９４】
また、上述した実施形態においては、本発明をデジタル一眼レフカメラに適用した場合を例にして説明したが、これはこの例に限定されない。すなわち、本発明はデジタルスチルカメラ、デジタルビデオカメラ、カメラ付き携帯電話端末、カメラ付きゲーム機等の撮像装置で、２つのシャッターボタンを有するものであれば適用可能である。また、上述の各実施の形態では第１のレリーズボタンと第２のレリーズボタンを、正位置グリップ側のレリーズボタンと縦位置グリップ側のレリーズボタンとした。しかし、これらの配置や利用目的はこの例に限らず、レリーズボタンとして割り当てられたいかなるボタンでもよい。
【００９５】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶（格納）した記憶媒体は本発明を構成することになる。
【図１】
2011223157.tif 000003
【図２】
2011223157.tif 000004
【図３】
2011223157.tif 000005
【図４】
2011223157.tif 000006
【図５】
2011223157.tif 000007
【図６】
2011223157.tif 000008
【図７】
2011223157.tif 000009